(57)【要約】【課題】ドアホン親機への情報表示に関して、ユーザによる手続が正常に行われたか否かの認証を行うこと。【解決手段】認証システムは、ドアホン装置と、消費電力の履歴を管理する管理サーバとを有する。ドアホン装置は、登録情報送信部と、認証コード受付部、表示部とを有する。管理サーバは、登録情報受付部と、認証コード送信部と、認証部と、電力情報送信部とを有する。例えば、表示部は、登録情報送信部により登録情報が送信されることに応じて、認証コード受付部により認証コードが受け付けられた場合に、かかる認証コードを表示する。また、例えば、認証部は、認証コード送信部により送信された所定の認証コードの入力をユーザの端末装置から受け付けた場合は、ドアホン装置の認証を行う。そして、電力情報送信部は、認証部によりドアホン装置が認証された場合に、消費電力に関するデータをドアホンサーバに送信する。【選択図】図１
2018018170.tif 000002
【特許請求の範囲】
【請求項１】
端末装置と、消費電力の履歴を管理する管理サーバとを有する認証システムであって、
前記端末装置は、
ユーザからユーザ操作が受け付けられた場合に、前記端末装置に情報を提供するサーバに対し、前記端末装置の登録に用いられる登録情報を送信する登録情報送信部と；
前記登録情報が送信されることに応じて、所定の認証コードを受け付ける認証コード受付部と；
前記認証コード受付部により受け付けられた前記所定の認証コードを表示する表示部と；
を具備し、
前記管理サーバは、
前記端末装置の認証が行われていない場合に、前記サーバを介して前記登録情報を受け付ける登録情報受付部と；
前記登録情報受付部により前記登録情報が受け付けられた場合に、前記サーバを介して前記所定の認証コードを前記端末装置に送信する認証コード送信部と；
前記認証コード送信部により送信された前記所定の認証コードの入力を前記ユーザの端末装置から受け付けた場合は、前記端末装置の認証を行う認証部と；
前記認証部により前記端末装置が認証された場合に、前記端末装置が有する表示部に表示させるための前記消費電力に関するデータを前記サーバに送信する電力情報送信部と；
を具備することを特徴とする認証システム。
【請求項２】
前記登録情報受付部によって前記登録情報が受け付けられた場合に、前記所定の認証コードと、前記所定の認証コードを入力するためのウェブサイトのＵＲＬと、前記所定の認証コードを当該ウェブサイトに入力するよう前記端末装置に指示する制御情報とを含む二次元コードを生成する生成部をさらに具備し、
前記認証コード送信部は、前記生成部により生成された前記二次元コードを前記端末装置に送信する
ことを特徴とする請求項１に記載の認証システム。
【発明の詳細な説明】
【技術分野】
【０００１】
本発明は、認証システムに関する。
【背景技術】
【０００２】
近年、宅内の電子機器（以下、「宅内機器」と表記する）がインターネットに接続されるようになり、スマートフォンやタブレット等の端末装置等から宅内機器にアクセスできる環境が増えてきている。一例として、利用者が、端末装置を用いる機器制御システムが知られている。例えば、サービス提供者の管理装置が、管理装置に保持されたネットワーク機器の操作画面を端末装置に送信し、利用者が端末装置上の操作画面を用いて宅内のネットワーク機器を操作する技術が提案されている。
【０００３】
このような宅内機器のインターネットへの接続の技術の一つとして、ドアホン装置のインターネットへの接続が提案されている。ドアホン装置は、宅外の玄関に配置されるドアホン子機と、宅内に配置されてドアホン子機と通話可能なドアホン親機とを備える。居住者は、ドアホン子機に備えたカメラで撮影された訪問者の映像をドアホン親機のモニタで確認し、訪問者と通話する。
【０００４】
また、ドアホン親機のモニタには、ドアホン子機のカメラで撮影された訪問者等だけではなく、例えば、居住者の操作に従って、インターネット接続される宅内機器に関する情報が表示される。
【先行技術文献】
【特許文献】
【０００５】
【特許文献１】特開２０１１−２３６５号公報
【発明の概要】
【発明が解決しようとする課題】
【０００６】
例えば、ドアホン親機のモニタに、インターネット接続される宅内機器に関する情報を表示させる場合には、かかる宅内機器に関する情報を管理するサーバ装置と、ドアホン親機とを、ドアホン親機のユーザによる手続によって連携させなければならない場合がある。
【０００７】
本発明が解決しようとする課題は、端末装置への情報表示に関して、端末装置の認証を行うことができる認証システムを提供することができる。
【課題を解決するための手段】
【０００８】
本願にかかる認証システムは、端末装置と、消費電力の履歴を管理する管理サーバとを有する。端末装置は、ユーザからユーザ操作が受け付けられた場合に、前記端末装置に情報を提供するサーバに対し、前記端末装置の登録に用いられる登録情報を送信する登録情報送信部と、前記登録情報が送信されることに応じて、所定の認証コードを受け付ける認証コード受付部と、前記認証コード受付部により受け付けられた前記所定の認証コードを表示する表示部とを具備する。管理サーバは、前記端末装置の認証が行われていない場合に、前記サーバを介して前記登録情報を受け付ける登録情報受付部と、前記登録情報受付部により前記登録情報が受け付けられた場合に、前記サーバを介して前記所定の認証コードを前記端末装置に送信する認証コード送信部と、前記認証コード送信部により送信された前記所定の認証コードの入力を前記ユーザの端末装置から受け付けた場合は、前記端末装置の認証を行う認証部と、前記認証部により前記端末装置が認証された場合に、前記端末装置が有する表示部に表示させるための前記消費電力に関するデータを前記サーバに送信する電力情報送信部とを具備する。
【発明の効果】
【０００９】
実施形態の一態様によれば、ドアホン親機への情報表示に関して、ユーザによる手続が正常に行われたか否かの認証を行うことができる。
【図面の簡単な説明】
【００１０】
【図１】図１は、実施形態にかかる認証システムを示す図である。
【図２】図２は、実施形態にかかる管理サーバの構成例を示す図である。
【図３】図３は、実施形態にかかる登録情報記憶部の一例を示す図である。
【図４】図４は、実施形態にかかる電力情報記憶部の一例を示す図である。
【図５】図５は、実施形態にかかるドアホンサーバの構成例を示す図である。
【図６】図６は、実施形態にかかる認証情報記憶部の一例を示す図である。
【図７】図７は、実施形態にかかる電力情報記憶部の一例を示す図である。
【図８】図８は、実施形態にかかるドアホン親機の構成例を示す図である。
【図９】図９は、表示制御部により表示制御された表示部の一例を示す図である。
【図１０】図１０は、実施形態にかかる認証処理システムによる認証処理手順を示すシーケンス図（パターンＡ）である。
【図１１】図１１は、実施形態にかかる認証処理システムによる認証処理手順を示すシーケンス図（パターンＢ）である。
【図１２】図１２は、実施形態にかかる認証処理システムによる認証処理手順を示すシーケンス図（パターンＣ）である。
【発明を実施するための形態】
【００１１】
以下、図面を参照して、実施形態にかかる認証システムを説明する。実施形態において同一の機能を有する構成には同一の符号を付し、重複する説明は省略する。なお、以下の実施形態で説明する認証システムは、一例に過ぎず、実施形態を限定するものではない。以下の実施形態は、矛盾しない範囲で適宜組み合わせてもよい。
【００１２】
以下で説明する認証システム１は、端末装置と、消費電力の履歴を管理する管理サーバ２００とを有する。
【００１３】
以下で説明する認証システム１において、端末装置としてのドアホン親機１０は、ユーザからユーザ操作が受け付けられた場合に、ドアホン親機１０に情報を提供するサーバであるドアホンサーバ１００に対し、ドアホン親機１０の登録に用いられる登録情報を送信する登録情報送信部１７と、登録情報が送信されることに応じて、所定の認証コードを受け付ける認証コード受付部１８と、認証コード受付部１８により受け付けられた所定の認証コードを表示する表示部１２とを具備する。
【００１４】
また、以下で説明する認証システム１において、管理サーバ２００は、ドアホン親機１０の認証が行われていない場合に、ドアホンサーバ１００を介して登録情報を受け付ける登録情報受付部２３２と、登録情報受付部２３２により登録情報が受け付けられた場合に、ドアホンサーバ１００を介して所定の認証コードをドアホン親機１０に送信する認証コード送信部２３５と、認証コード送信部２３５により送信された所定の認証コードの入力をユーザの端末装置（ユーザ端末）である端末装置Ｔから受け付けた場合は、ドアホン親機１０の認証を行う認証部２３３と、認証部２３３によりドアホン親機１０が認証された場合に、ドアホン親機１０が有する表示部１２に表示させるよう消費電力に関するデータをドアホンサーバ１００に送信する電力情報送信部２３６とを具備する。
【００１５】
また、以下で説明する認証システム１は、登録情報受付部２３２によって登録情報が受け付けられた場合に、所定の認証コードと、所定の認証コードを入力するためのウェブサイトのＵＲＬと、所定の認証コードを当該ウェブサイトに入力するよう端末装置Ｔに指示する制御情報とを含む二次元コードを生成する認証コード生成部２３４をさらに具備し、認証コード送信部２３５は、認証コード生成部２３４により生成された二次元コードをドアホン親機１０に送信する。
【００１６】
（実施形態）
〔１．認証システム〕
図１は、実施形態にかかる認証システムを示す図である。図１に示す認証システム１は、例えば、ECHONET又はECHONET  Liteのプロトコルに準拠する、電気機器を接続したＨＥＭＳ（Home  Energy  Management  System）のネットワークである。
【００１７】
図１に示すように、認証システム１は、住宅用分電盤ＨＤと、スマートメータＭＴと、ホームゲートウェイＧＷと、ドアホン親機１０と、ドアホン子機３０と、ドアホンサーバ１００と、管理サーバ２００とを具備する。
【００１８】
図１に示す認証システム１では、ドアホンサーバ１００および管理サーバ２００は、インターネットに接続される。また、図１に示す認証システム１では、ドアホン親機１０およびドアホン子機３０は、ＨＥＭＳのホームゲートウェイＧＷを関門としてインターネットに接続される。したがって、図１に示す認証システム１では、例えば、ドアホン親機１０、ドアホン子機３０、ドアホンサーバ１００、管理サーバ２００の間で情報の送受信が可能である。
【００１９】
住宅用分電盤ＨＤは、住宅２の配線に電気を分ける装置である。例えば、住宅用分電盤ＨＤは、漏電遮断器や配線用遮断器等の種々の機器を含む。例えば、住宅用分電盤ＨＤは、電力系統ＣＰから供給される電力を住宅２の一般負荷ＮＬに供給する。なお、実施形態にかかる住宅２は、所定のマンションの一室であるものとする。
【００２０】
スマートメータＭＴは、電力系統ＣＰから供給された電力、すなわち電力系統ＣＰから買電した電力や、電力系統ＣＰ側へ供給した電力、すなわち売電した電力を計量するメータである。すなわち、スマートメータＭＴは、電力系統ＣＰの供給電力に関する情報を保持する。例えば、スマートメータＭＴは、売電した電力を計量するメータと、買電した電力を計量するメータとを各々含んでもよい。例えば、スマートメータＭＴは、図１に示すように、住宅用分電盤ＨＤと電力系統ＣＴとの間に設けられ、売電した電力を計量したり、買電した電力を計量したりする。
【００２１】
また、スマートメータＭＴは、ホームゲートウェイＧＷを経由して、管理サーバ２００へ各情報を送信可能である。例えば、スマートメータＭＴは、管理サーバ２００の要求に応じて、住宅２において消費された消費電力に関するデータをホームゲートウェイＧＷを経由して、管理サーバ２００送信する。
【００２２】
ホームゲートウェイＧＷは、認証システム１のネットワーク間の情報の送受信を可能にするネットワーク機器である。ホームゲートウェイＧＷは、認証システム１の各構成間の情報の送受信を可能にする。例えば、ホームゲートウェイＧＷは、ドアホンサーバ１００や管理サーバ２００との間の情報の送受信を可能にする。なお、ホームゲートウェイＧＷと、ドアホンサーバ１００および管理サーバ２００との間に、所定の中継機器（例えば、ブロードバンドルータ）等が設けられる場合があるが、図１では説明を省略する。
【００２３】
また、ホームゲートウェイＧＷを介して、インターネットに接続されるドアホン親機１０は、ドアホン子機３０を有する。また、ドアホン親機１０およびドアホン子機３０は、住宅２に設置される。図１では、所定のマンションの住居部屋である住宅２毎にドアホン親機１０およびドアホン子機３０が１組ずつ設定される例を示すが、１つの住宅２に複数組のドアホン親機１０およびドアホン子機３０が設置されてもよい。また、ドアホン親機１０およびドアホン子機３０が設置される住宅２は、複数であるが、図１では複数の図示を省略している。なお、ドアホン親機１０およびドアホン子機３０を総称してドアホン装置と表記する場合がある。
【００２４】
ドアホン親機１０は、来訪した客がドアホン子機３０を操作した場合、来客通知をドアホン子機３０から受信する。ドアホン親機１０は、来客通知を受信した場合、チャイムやメロディー等の予め決められた来客通知用の音声をスピーカーから出力させる。これにより、ドアホン親機１０は、在宅者に来客を通知する。さらに、ドアホン親機１０は、ドアホン子機３０のカメラ（不図示）により撮影された動画像をドアホン子機３０から受信する。そして、ドアホン親機１０は、受信した動画像を表示部１２に映す。これにより、ドアホン親機１０は、どのような人が訪問してきたかをドアホン親機１０の操作者に提供する。なお、表示部１２は、ドアホン親機１０が有するモニタ（表示画面）に相当する。また、表示部１２には、タッチパネルが採用されているものとする。
【００２５】
操作者は、表示部１２に映された動画像を確認し、応答する場合、応答ボタン１３を押下する。ドアホン親機１０は、応答ボタン１３を押下された場合、ドアホン子機３０のマイクおよびスピーカーをドアホン親機１０のマイクおよびスピーカーに接続し、ドアホン親機１０の操作者とドアホン子機３０の操作者とが通話できるようにする。
【００２６】
ドアホン子機３０は、呼出ボタン３１を有する。また、ドアホン子機３０は、図示しないマイクおよびスピーカーを有する。
【００２７】
住宅２を訪問した客は、ドアホン子機３０の呼出ボタン３１を押下し、在宅者に訪問を通知する。ドアホン子機３０は、呼出ボタン３１が押下されると、来客通知をドアホン親機１０へ通知する。その後、ドアホン親機１０の応答ボタン１３が押下されることで、ドアホン子機３０のマイクおよびスピーカーに接続され、客はドアホン子機３０を用いて、ドアホン親機１０の操作者と通話することができる。
【００２８】
ここで、ドアホン設置業者は、例えば、新設されたマンションに実施形態にかかるドアホン装置を設置する。また、管理サーバ２００を管理する管理業者は、ドアホン親機１０とホームゲートウェイＧＷとを接続する。また、かかる管理業者は、各マンションの各住宅２に設置されているドアホン装置を識別可能な情報（以下、「機器情報」と表記する）を管理サーバ２００に対して登録する（機器登録）。例えば、管理業者は、マンションを識別する識別情報であるマンションＩＤと、マンションＩＤにより識別されるマンションが複数の棟から成る場合には、その棟を識別する棟情報（例えば、棟番号）と、ドアホン装置が設置される部屋番号とを対応付けたものを機器情報として、管理サーバ２００に登録する。
【００２９】
一例を示すと、例えば、図１に示す住宅２がマンション名「ＡＢＣ」の「Ａ」棟にある「１０１」号室であるものとする。また、マンション「ＡＢＣ」のマンションＩＤが「０００１」であることが予め決められているものとする。かかる場合、管理業者は、住宅２に設置されるドアホン親機１０を識別する機器情報として「マンションＩＤ：０００１、棟情報：Ａ、部屋番号：１０１」を管理サーバ２００に登録する。また、管理業者は、マンション名「ＡＢＣ」を機器情報に対応付けて登録する。
【００３０】
こうして機器情報が管理サーバ２００に登録された状態で、住宅２が住人に明け渡される。このような状態において、住宅２の住人は、自身がドアホン親機１０のユーザであることを管理サーバ２００に登録する。また、このような登録は、図１に示す認証システム１（ＨＥＭＳ）に、かかる住人本人が属することを登録する会員登録に相当する。
【００３１】
例えば、ユーザ（住宅２の住人）は、スマートフォン、携帯電話端末、タブレット端末等の端末装置Ｔを用いて、会員登録の専用サイトにアクセスし、上述したマンョンＩＤ、マンション名、棟情報、部屋番号等を含む会員情報を入力することで会員登録を完了する。なお、かかる専用サイトは、管理サーバ２００によって配信されてもよいし、ドアホンサーバ１００や管理サーバ２００に関係する所定のサーバから配信されてもよい。また、会員登録に用いられる会員情報および管理サーバ２００に予め登録されている機器情報は、同一のものであるため以下では、これらを合わせて「登録情報」と表記する場合がある。
【００３２】
管理サーバ２００は、住宅２に設置されるドアホン装置の認証を行う。具体的には、管理サーバ２００は、住宅２に設置されるドアホン装置のユーザによって、特にドアホン親機１０を自装置（管理サーバ２００）に連携させる手続きが正常に行われたことを認証するための認証処理を行う。
【００３３】
そして、管理サーバ２００は、認証処理により認証が得られた場合に、ドアホン親機１０が有する表示部１２に表示させるよう消費電力に関するデータをドアホンサーバ１００に送信する。以上のことから、管理サーバ２００は、認証が得られることを条件として、消費電力に関するデータをドアホンサーバ１００に送信する装置といえる。
【００３４】
また、管理サーバ２００は、消費電力に関するデータをドアホンサーバ２００に送信できるよう、例えば図１に示すように、スマートメータＭＴから消費電力に関するデータを取得する。例えば、管理サーバ２００は、ホームゲートウェイＧＷ経由で取得要求をスマートメータＭＴに定期的に送信することで、ホームゲートウェイＧＷ経由でスマートメータＭＴから消費電力に関するデータを取得する。また、管理サーバ２００は、取得した消費電力に関するデータを消費電力の履歴として、蓄積および管理する。
【００３５】
また、管理サーバ２００は、ユーザにより会員登録が行われた場合に、会員番号を発行し、発行した会員番号をユーザの端末装置Ｔに送信する。
【００３６】
さて、以下では、実施形態にかかる認証システム１によって行われる認証処理について具体的に説明する。なお、以下では、住宅２の住人を、ドアホン親機１０の「ユーザ」として説明する。また、ユーザは、上述した会員登録を行っているものとする。
【００３７】
例えば、ユーザは、ドアホン親機１０の表示部１２に、自身の住宅２において消費された消費電力に関するデータを表示させたいものとする。かかる場合、例えば、ユーザは、タッチパネルが採用される表示部１２に対して、消費電力に関するデータを表示させるよう選択操作を行う。
【００３８】
ドアホン親機１０は、ユーザから選択操作を受け付けると、会員登録に用いられた登録情報、すなわち管理サーバ２００に予め登録されている自装置の機器情報をホームゲートウェイＧＷを介してドアホンサーバ１００へ送信する（ステップＳ１１）。例えば、ドアホン親機１０は、機器情報として、マンションＩＤと、棟情報と、部屋番号とをホームゲートウェイＧＷを介してドアホンサーバ１００へ送信する。なお、ドアホン親機１０は、マンション名も送信してもよい。
【００３９】
例えば、かかるドアホン親機１０は、マンションＩＤ「０００１」によって識別されるマンション「ＡＢＣ」の「Ａ」棟における「１０１」号室に設置されているものとする。かかる場合、ドアホン親機１０は、マンションＩＤ「０００１」と、棟情報「Ａ」棟と、部屋番号「１０１」とを対応付けて、ホームゲートウェイＧＷ経由でドアホンサーバ１００へ送信する。
【００４０】
そして、ドアホンサーバ１００は、ドアホン親機１０から登録情報を受け付ける。ここで、ドアホンサーバ１００は、登録情報送信元のドアホン親機１０と、管理サーバ２００との連携の認証が管理サーバ２００によって得られていないと判定したとする。かかる場合、ドアホンサーバ１００は、管理サーバ２００に対して、認証処理を行うよう依頼する（ステップＳ１２）。例えば、ドアホンサーバ１００は、ドアホン親機１０から受け付けた登録情報を含む依頼を管理サーバ２００に送信する。
【００４１】
そして、管理サーバ２００は、ドアホンサーバ１００から依頼を受け付ける。ここで、、管理サーバ２００は、登録情報記憶部２２１を検索することで、登録情報送信元のドアホン親機１０のユーザが連携の手続きを行っていない、すなわち連携の認証が得られていないと確認したとする。
【００４２】
かかる場合、管理サーバ２００は、連携の手続きの際に用いられる認証コードを生成する（ステップＳ１３）。そして、管理サーバ２００は、生成した認証コードをドアホンサーバ１００に送信する（ステップＳ１４）。例えば、上記のように、管理サーバ２００は、登録情報送信元のドアホン親機１０のユーザが会員登録していることを認証が得られた場合、会員登録の際に発行した会員番号とともに、生成した認証コードをドアホンサーバに送信する。これにより、管理サーバ２００は、現在、登録情報送信元のドアホン親機１０のユーザは会員登録しているが、連携の手続きを行っていないため連携の認証が得られていない旨をドアホンサーバ１００に通知する。
【００４３】
なお、管理サーバ２００は、認証コードを生成し、生成した認証コードを含む二次元コードであるＱＲコード（登録商標）をドアホンサーバ１００に送信することにより、かかるＱＲコードがドアホン親機１０の表示部１２に表示されるようにしてもよい。この点については、後に詳述する。なお、管理サーバ２００は、ＱＲコード以外にも、任意の二次元コードを採用してよい。
【００４４】
ドアホンサーバ１００は、管理サーバ２００から認証コードを受け付ける。そして、ドアホンサーバ１００は、受け付けた認証コードを表示するようホームゲートウェイＧＷ経由で、ドアホン親機１０へ送信する（ステップＳ１５）。そして、ドアホン親機１０は、受け付けた認証コードを表示部１２に表示させる。
【００４５】
つまり、ユーザは、ドアホン親機１０と、管理サーバ２００とを連携させる手続きを行っておらず、管理サーバ２００により連携の認証が得られていない場合には、消費電力に関するデータは表示されず、代わりに連携の手続きの際に用いられる認証コードが表示部１２に表示される。
【００４６】
ここで、ユーザは、自身の端末装置Ｔを用いて、ドアホン親機１０と、管理サーバ２００とを連携させる手続きを行う。具体的には、ユーザは、表示部１２に表示された認証コードを入力するためのウェブページへアクセスする。そして、ユーザは、認証コードを入力し、例えば、かかるウェブページに表示される送信ボタンを押下することで、端末装置Ｔに認証コードを管理サーバ２００へと送信させる（ステップＳ１６）。なお、認証コードを入力するためのウェブページのＵＲＬは、認証コードとともに表示部１２に表示されてよい。
【００４７】
また、ユーザは、管理サーバ２００により生成されたＱＲコードを用いることにより、連携の手続きをより簡単に行うことができる。例えば、管理サーバ２００は、認証コードだけでなく、上記のように、かかる認証コードを含むＱＲコードを生成した場合には、生成した認証コードおよびＱＲコードを表示部１２に表示させる。
【００４８】
ここで、ユーザは、端末装置Ｔのカメラが有するＱＲコード読み取り機能を用いて、端末装置ＴにＱＲコードを読み込ませる。かかる場合、端末装置Ｔは、ＱＲコードに含まれる制御情報に従って、ＱＲコードに含まれる認証コードを自動で入力したウェブページを表示する。そして、例えば、かかるウェブページに表示される送信ボタンを押下された場合には、端末装置Ｔは、認証コードを管理サーバ２００に送信する。
【００４９】
そして、管理サーバ２００は、端末装置Ｔから認証コードを受け付けると、認証コードを用いて認証処理を行う（ステップＳ１７）。具体的には、管理サーバ２００は、登録情報記憶部２２１を参照し、受け付けた認証コードに対応付けられる登録情報を検索する。そして、登録情報が存在する場合には、管理サーバ２００は、その登録情報によって識別されるドアホン親機１０と、自装置との連携を認証する。
【００５０】
また、管理サーバ２００は、連携を認証すると、登録情報送信元のドアホン親機１０が設置される住宅２における消費電力に関するデータをドアホンサーバ１００に送信する（ステップＳ１８）。また、管理サーバ２００は、かかるドアホン親機１０の登録情報（マンションＩＤ、棟情報、部屋番号）、さらには、かかるドアホン親機１０に対応付けられる会員番号、マンション名、および、消費電力に関するデータの送信元であるスマートメータＭＴの識別情報をドアホンサーバ１００に送信する。
【００５１】
ドアホンサーバ１００は、管理サーバ２００から上記の各種情報を受け付けることで、連携の認証が得られたことを認識する。また、ドアホンサーバ２００は、上記の各種情報を後述する認証情報記憶部１２１に記憶する。また、ドアホンサーバ１００は、管理サーバ２００から受け付けた消費電力に関するデータに基づいて、消費電力の移り変わりを示す電力グラフを生成する（ステップＳ１９）。例えば、ドアホンサーバ１００は、ユーザが現在日における消費電力の移り変わりを表示するよう指定した場合には、管理サーバ２００から受け付けた消費電力に関するデータに基づいて、現在日における消費電力の移り変わりを示す電力グラフを作成する。
【００５２】
そして、ドアホンサーバ１００は、生成した電力グラフを表示するようホームゲートウェイＧＷ経由で、ドアホン親機１０へ送信する（ステップＳ２０）。そして、ドアホン親機１０は、受け付けた電力グラフを表示部１２に表示させる。なお、ドアホンサーバ１００は、生成した電力グラフを端末装置Ｔへも送信してよい。すなわち、本実施形態では、端末装置とは、ドアホン親機１０だけでなく、端末装置Ｔを指すものであってよい。
【００５３】
〔２．管理サーバの構成〕
次に、図２を用いて、実施形態にかかる管理サーバ２００について説明する。図２は、実施形態にかかる管理サーバ２００の構成例を示す図である。図２に示すように、管理サーバ２００は、通信部２１０と、記憶部２２０と、制御部２３０とを有する。
【００５４】
（通信部２１０について）
通信部２１０は、例えば、ＮＩＣ（Network  Interface  Card）等によって実現される。そして、通信部２１０は、ネットワークと有線または無線で接続され、例えば、端末装置Ｔ、ホームゲートウェイＧＷ、ドアホンサーバ１００との間で情報の送受信を行う。
【００５５】
（記憶部２２０について）
記憶部２２０は、例えば、ＲＡＭ（Random  Access  Memory)、フラッシュメモリ等の半導体メモリ素子またはハードディスク、光ディスク等の記憶装置によって実現される。記憶部２２０は、登録情報記憶部２２１と、電力情報記憶部２２２とを有する。
【００５６】
（登録情報記憶部２２１について）
登録情報記憶部２２１は、各ドアホン装置を識別可能な機器情報を含む登録情報を記憶する記憶部である。例えば、ドアホン設置業者は、各ドアホン装置を識別可能な機器情報を管理サーバ２００に登録する。また、登録情報記憶部２２１は、ユーザから会員登録に関する会員情報を受け付けた際に、会員登録の完了を示す情報を記憶する。ここで、図３に実施形態にかかる登録情報記憶部２２１の一例を示す。図３の例では、登録情報記憶部１２１は、「マンションＩＤ」、「マンション名」、「棟情報」、「部屋番号」、「会員番号」、「計測機器ＩＤ」、「認証コード」、「生成日時」、「連携認証タグ」といった項目を有する。
【００５７】
「マンションＩＤ」は、実施形態にかかるドアホン装置が設置される建物として、例えば、マンションを識別する識別情報を示す。「マンション名」は、対応する「マンションＩＤ」によって識別されるマンションの名称を示す。「棟情報」は、対応する「マンションＩＤ」によって識別されるマンションが複数の棟から成る場合において、各棟を識別する識別情報を示す。例えば、「棟情報」は、棟の名称や棟の番号が用いられる。
【００５８】
「部屋番号」は、実施形態にかかるドアホン装置が設置される部屋（図１に示す住宅２）の部屋番号を示す。「会員番号」は、ドアホン装置が設置される部屋の住人が、その部屋に設置されるドアホン装置のユーザであることを管理サーバ２００に登録した際に、管理サーバ２００によって発行された会員番号を示す。
【００５９】
「計測機器ＩＤ」は、実施形態にかかるドアホン装置を有する各部屋に設置されるスマートメータＭＴを識別する識別情報を示す。「認証コード」は、図１で説明したように、各ドアホン装置に対応するドアホン親機１０と、管理サーバ２００との連携の認証が得られていない場合に、管理サーバ２００がユーザに対して連携の手続きを行うよう生成した認証コードを示す。「生成日時」は、対応する「認証コード」が生成された日時を示す。
【００６０】
「連携認証タグ」は、ユーザによりドアホン親機１０と、管理サーバ２００とを連携させる手続きが正常に行われたことにより、連携の認証が得られているか否かを示すタグ情報を示す。例えば、管理サーバ２００は、連携の認証が得られていない場合には、「連携認証タグ」として「０」を入力する。また、管理サーバ２００は、連携の認証が得られた場合には、「連携認証タグ」として「１」を入力する。
【００６１】
なお、本実施形態では、「マンションＩＤ」と、「棟情報」と、「部屋番号」とを組み合わせたものがドアホン装置を識別する識別情報であるものとする。例えば、図３に示すように、ドアホン親機１０の１つであるドアホン親機ＭＨ１は、マンションＩＤ「０００１」と、棟情報「Ａ棟」と、部屋番号「１０１」によって識別される。
【００６２】
また、図３の例は、ドアホン親機ＭＨ１の表示部１２に消費電力に関するデータを表示させるために、ユーザが表示部１２に対して選択操作を行ったことに応じて、管理サーバ２００が、「２０１６年５月１日１３時」に認証コード「００１１−０００２−０００３−０００４」を生成した例を示す。また、管理サーバ２００は、ドアホン親機ＭＨ１が設置される住居２である「１０１」号室には、スマートメータＭＴ１が設置されていることを特定している例を示す。
【００６３】
（電力情報記憶部２２２について）
電力情報記憶部２２２は、スマートメータＭＴから取得された消費電力に関するデータを記憶する記憶部である。ここで、図４に実施形態にかかる電力情報記憶部２２２の一例を示す。図４の例では、電力情報記憶部２２２は、「計測機器ＩＤ」、「電力履歴」といった項目を有する。
【００６４】
「計測機器ＩＤ」は、実施形態にかかるドアホン装置を有する各部屋に設置されるスマートメータＭＴを識別する識別情報を示す。「電力履歴」は、対応する「計測機器ＩＤ」によって識別されるスマートメータＭＴからこれまでに取得された消費電力に関するデータの履歴情報を示す。図４の例では、「電力履歴」として、概念的な記号を用いているが、実際には、消費電力を示す数値が、例えば、消費電力が計測された計測日時に対応付けて記憶される。
【００６５】
すなわち、図４の例では、管理サーバ２００によって、計測機器ＩＤ「ＭＴ１」により識別されるスマートメータＭＴから、これまでに取得された消費電力に関するデータが「ＤＡ１」である例を示す。
【００６６】
（制御部２３０について）
図２に戻り、制御部２３０は、ＣＰＵ（Central  Processing  Unit）やＭＰＵ（Micro  Processing  Unit）等によって、管理サーバ２００内部の記憶装置に記憶されている各種プログラムがＲＡＭを作業領域として実行されることにより実現される。また、制御部２３０は、例えば、ＡＳＩＣ（Application  Specific  Integrated  Circuit）やＦＰＧＡ（Field  Programmable  Gate  Array）等の集積回路により実現される。
【００６７】
図２に示すように、制御部２３０は、会員情報受付部２３１と、登録情報受付部２３２と、認証部２３３と、認証コード生成部２３４と、認証コード送信部２３５と、電力情報送信部２３６とを有し、以下に説明する情報処理の機能や作用を実現または実行する。なお、制御部２３０の内部構成は、図２に示した構成に限られず、後述する情報処理を行う構成であれば他の構成であってもよい。また、制御部２３０が有する各処理部の接続関係は、図２に示した接続関係に限られず、他の接続関係であってもよい。
【００６８】
（会員情報受付部２３１について）
会員情報受付部２３１は、実施形態にかかるドアホン装置が設置される住宅２の住人であるユーザによって、端末装置Ｔを用いて送信される会員情報を受け付ける。例えば、会員情報受付部２３１は、会員登録の専用サイトにおいて、ユーザにより端末装置Ｔを用いて入力された会員情報を受け付ける。住人は、自身の住宅２に設置されるドアホン親機１０のユーザであることを管理サーバ２００に登録させるために、また、図１に示す認証システム１に自身が属する会員であることを管理サーバ２００に登録させるために、端末装置Ｔを用いて会員情報を送信する。会員情報には、例えば、マンョンＩＤ、マンション名、棟情報、部屋番号等が含まれる。
【００６９】
そして、会員情報受付部２３１は、端末装置Ｔから受け付けた会員情報が、機器情報として登録情報記憶部２２１に記憶されているかを検索する。そして、会員情報受付部２３１は、端末装置Ｔから受け付けた会員情報が、機器情報として登録情報記憶部２２１に記憶されている場合には、会員番号を発行することで会員登録を完了する。また、会員情報受付部２３１は、端末装置Ｔから受け付けた会員情報と、発行した会員番号とを対応付けてドアホンサーバ１００に送信することにより、会員情報が完了した旨を通知する。なお、会員情報受付部２３１は、会員情報送信元の端末装置Ｔに対して、発行した会員番号を通知してもよい。
【００７０】
この点について、図３を用いて説明する。会員情報受付部２３１は、端末装置Ｔから会員情報として、「マンションＩＤ：０００１、棟情報：Ａ、部屋番号：１０１」を受け付けたとする。そして、会員情報受付部２３１は、登録情報記憶部２２１を検索し、この会員情報が機器情報として記憶されている場合には、会員番号「Ｕ００１」を発行する。そして、会員情報受付部２３１は、発行した会員番号「Ｕ００１」を登録情報記憶部２２１に記憶する。また、会員情報受付部２３１は、「マンションＩＤ：０００１、棟情報：Ａ、部屋番号：１０１」と、会員番号「Ｕ００１」とを対応付けて、ドアホンサーバ１００に送信する。ドアホンサーバ１００は、登録情報と、会員番号とを受け付けることにより、対応するドアホン親機１０のユーザが会員登録したことを認識することができる。
【００７１】
（登録情報受付部２３２について）
登録情報受付部２３２は、ドアホン親機１０と、管理サーバ２００との連携の認証が得られていない場合に、ドアホンサーバ１００を介して、ドアホン親機１０から登録情報を受け付ける。
【００７２】
図１で説明したように、まず、ドアホンサーバ１００は、消費電力に関するデータを表示させる選択操作を受け付けたドアホン親機１０から、会員登録に用いられる登録情報として、マンションＩＤと、棟情報と、部屋番号とを受け付ける。そして、ドアホンサーバ１００は、登録情報送信元のドアホン親機１０と、管理サーバ２００との連携の認証が管理サーバ２００によって得られていないと判定した場合には、管理サーバ２００に対して、認証処理を行うよう依頼する。例えば、ドアホンサーバ２００は、ドアホン親機１０から受け付けた登録情報を含む依頼を管理サーバ２００に送信する。これにより、登録情報受付部２３２は、ドアホンサーバ２００から登録情報を含む依頼をドアホンサーバ１００から受け付ける。
【００７３】
（認証部２３３について）
認証部２３３は、登録情報受付部２３２により受け付けられた登録情報を用いて、登録情報送信元のドアホン親機１０のユーザにより連携の手続きが正常に行われたことを認証するための認証処理を行う。
【００７４】
まず、認証部２３３は、登録情報記憶部２２１を参照し、登録情報受付部２３２により受け付けられた登録情報に対応付けられる連携認証タグを確認する。そして、認証部２３３は、連携認証タグとして、連携の認証が得られてないことを示す「０」が入力されていることを確認すると、認証コード生成部２３４に対して、認証コードを生成するよう指示する。なお、認証部２３３は、連携の認証が得られていないことを示す所定のエラーコードをドアホンサーバ１００に送信してもよい。また、かかるエラーコードは認証部２３３によりドアホンサーバ１００に送信されてもよい。
【００７５】
また、認証部２３３は、認証コード生成部２３４により生成された認証コードであって、登録情報送信元のドアホン親機１０の表示部１２によってユーザに提示された認証コードの入力を受け付ける。例えば、認証部２３３は、認証コードを入力するためのウェブページを介して、かかる認証コードの入力を登録情報送信元のドアホン親機１０のユーザから受け付ける。
【００７６】
ユーザは、例えば、自身の端末装置Ｔを用いて、ドアホン親機１０と、管理サーバ２００とを連携させる手続きを行う。具体的には、ユーザは、表示部１２に表示された認証コードを入力するためのウェブページへアクセスする。そして、ユーザは、認証コードを入力し、例えば、かかるウェブページに表示される送信ボタンを押下することで、認証コードを管理サーバ２００に送信させる。
【００７７】
ここで、認証部２３３は、ユーザにより入力された認証コードが、認証コード生成部２３４により生成された認証コードと一致するか否かを判定する。認証コード生成部２３４により生成された認証コードは、登録情報記憶部２２１に記憶されているため、認証部２３３は、登録情報記憶部２２１からユーザにより入力された認証コードを検索する。認証部２３３は、ユーザにより入力された認証コードを発見した場合には、ユーザにより入力された認証コードと、認証コード生成部２３４により生成された認証コードとの一致を得る。また、これにより認証部２３３は、ユーザによりドアホン親機１０と、管理サーバ２００とを連携させる手続きが正常に行われたことを認証する。すなわち、認証部２３３は、ドアホン親機１０と、管理サーバ２００とを連携を認証する。
【００７８】
（認証コード生成部２３４について）
認証コード生成部２３４は、認証部２３３からの指示に応じて、ドアホン親機１０と、管理サーバ２００とを連携させるための手続きに用いられる認証コードを生成する。例えば、認証コード生成部２３４は図３に示すように、４桁の番号をハイフンで区切った計１６桁の番号を認証コードとして生成し、生成した認証コードを登録情報記憶部２２１に記憶する。また、認証コード生成部２３４は、認証コードを生成した日時も登録情報記憶部２２１に記憶する。
【００７９】
例えば、認証部２３３が、「マンションＩＤ：０００１、棟情報：Ａ、部屋番号：１０１」によって識別されるドアホン親機１０の認証が得られていないことにより、認証処理を行うようドアホンサーバ１００から依頼を受けたとする。かかる場合、認証部２３３は、「マンションＩＤ：０００１、棟情報：Ａ、部屋番号：１０１」を認証コード生成部２３４に出力する。これにより、認証部２３３は、「マンションＩＤ：０００１、棟情報：Ａ、部屋番号：１０１」によって識別されるドアホン親機１０を管理サーバ２００に連携させる手続きに用いられる認証コードを生成するよう指示する。
【００８０】
認証コード生成部２３４は、かかる指示を受け付けると、例えば、図３に示すように、認証コード「００１１−０００２−０００３−０００４」を生成する。また、認証コード生成部２３４は、この認証コードを「マンションＩＤ：０００１、棟情報：Ａ、部屋番号：１０１」に対応付けて、登録情報記憶部２２１に記憶する。また、この認証コードを生成した日時が「２０１６年５月１日１３時」であったとすると、認証コード生成部２３４は、この生成日時を「マンションＩＤ：０００１、棟情報：Ａ、部屋番号：１０１」に対応付けて、登録情報記憶部２２１に記憶する。
【００８１】
また、認証コード生成部２３４は、同一のドアホン親機１０に対して表示させる認証コードを所定時間経過毎に変化させる。例えば、認証コード生成部２３４が、あるドアホン親機１０に対して表示させる認証コードを生成してから「３０分」以上経過した後、登録情報受付部２３２により、再び同一のドアホン親機１０から登録情報が受け付けられたとする。このような状況は、例えば、かかるドアホン親機１０のユーザが、連携の手続きを行っていないにも拘わらず、かかるドアホン親機１０の表示部１２に電力情報を表示させようとして再び表示部１２を操作することにより起こり得る。そして、認証コード生成部２３４は、前回認証コードを生成してから「３０分」以上経過している場合には、前回生成した認証コードとは異なる認証コードを生成する。この点について、一例を用いて説明する。
【００８２】
例えば、上記例のように、「マンションＩＤ：０００１、棟情報：Ａ、部屋番号：１０１」によって識別されるドアホン親機１０に表示される認証コードとして、認証コード「００１１−０００２−０００３−０００４」が「２０１６年５月１日１３時」に生成されたとする。そして、登録情報受付部２３２が、「マンションＩＤ：０００１、棟情報：Ａ、部屋番号：１０１」によって識別されるドアホン親機１０から再び登録情報を受け付けたとする。
【００８３】
ここで、このドアホン親機１０について、連携の認証が得られていないことにより、認証コード生成の指示を受信すると、認証コード生成部２３４は、登録情報記憶部２２１を参照し、「マンションＩＤ：０００１、棟情報：Ａ、部屋番号：１０１」に対応付けられる生成日時から現在日時が「３０分」以上経過しているか否かを特定する。例えば、「３０分」以上経過している場合には、認証コード生成部２３４は、前回生成した認証コード「００１１−０００２−０００３−０００４」とは異なる認証コードを生成し、かかる認証コードが表示部１２に表示されるようにする。
【００８４】
また、認証コード生成部２３４は、上記のように認証コードを生成するとともに、生成した認証コードを入力するためのウェブサイトのＵＲＬと、生成した認証コードを、かかるウェブサイトに入力するようユーザの端末装置Ｔに指示する制御情報とを含む二次元コード（ＱＲコード）を生成する。
【００８５】
（認証コード送信部２３５について）
認証コード送信部２３５は、認証コード生成部２３４により生成された認証コードおよびＱＲコードをドアホンサーバ１００を介して、登録情報送信元のドアホン親機１０へ送信する。例えば、認証コード送信部２３５は、登録情報送信元のドアホン親機１０に対応付けられる会員番号とともに、認証コード生成部２３４により生成された認証コードおよびＱＲコードをドアホンサーバ１００に送信する。これにより、認証コード送信部２３５は、現在、登録情報送信元のドアホン親機１０のユーザは会員登録しているが、連携の手続きを行っていないため連携の認証が得られていない旨をドアホンサーバ１００に通知する。
【００８６】
（電力情報送信部２３６について）
電力情報送信部２３６は、認証部２３３により、ドアホン親機１０との連携が認証された場合に、かかるドアホン親機１０の表示部１２に表示させるよう消費電力に関するデータをドアホンサーバ１００に送信する。例えば、電力情報送信部２３６は、登録情報記憶部２２１を参照し、認証されたドアホン親機１０に対応付けられる計測機器ＩＤを取得する。
【００８７】
そして、電力情報送信部２３６は、電力情報記憶部２２２を参照し、取得した計測機器ＩＤに対応付けられる消費電力に関するデータを取得する。そして、電力情報送信部２３６は、取得した計測機器ＩＤと消費電力に関するデータとをドアホンサーバ１００に送信する。また、このとき、電力情報送信部２３６は、認証されたドアホン親機１０の登録情報（マンションＩＤ、棟情報、部屋番号）もドアホンサーバ１００に送信する。
【００８８】
なお、電力情報送信部２３６は、連携の認証が得られたドアホン親機１０には、いつでも消費電力に関するデータが表示可能なように、連携の認証が得られたドアホン親機１０の登録情報に対応付けて、対応する消費電力に関するデータをドアホンサーバ１００に定期的に送信する。
【００８９】
〔３．ドアホンサーバの構成〕
次に、図５を用いて、実施形態にかかるドアホンサーバ１００について説明する。図５は、実施形態にかかるドアホンサーバ１００の構成例を示す図である。図５に示すように、ドアホンサーバ１００は、通信部１１０と、記憶部１２０と、制御部１３０とを有する。
【００９０】
（通信部１１０について）
通信部１１０は、例えば、ＮＩＣ等によって実現される。そして、通信部１１０は、ネットワークと有線または無線で接続され、例えば、ホームゲートウェイＧＷ、管理サーバ２００との間で情報の送受信を行う。
【００９１】
（記憶部１２０について）
記憶部１２０は、例えば、ＲＡＭ、フラッシュメモリ等の半導体メモリ素子またはハードディスク、光ディスク等の記憶装置によって実現される。記憶部１２０は、認証情報記憶部１２１と、電力情報記憶部１２２とを有する。
【００９２】
（認証情報記憶部１２１について）
認証情報記憶部１２１は、管理サーバ２００の認証部２３３による現在の認証状況に関する情報等を記憶する記憶部である。ここで、図６に実施形態にかかる認証情報記憶部１２１の一例を示す。図６の例では、認証情報記憶部１２１は、「マンションＩＤ」、「マンション名」、「棟情報」、「部屋番号」、「認証結果」、「認証詳細」、「会員番号」、「計測機器ＩＤ」、「認証コード」といった項目を有する。
【００９３】
「マンションＩＤ」は、実施形態にかかるドアホン装置が設置される建物として、例えば、マンションを識別する識別情報を示す。「マンション名」は、対応する「マンションＩＤ」によって識別されるマンションの名称を示す。「棟情報」は、対応する「マンションＩＤ」によって識別されるマンションが複数の棟から成る場合において、各棟を識別する識別情報を示す。例えば、「棟情報」は、棟の名称や棟の番号が用いられる。「部屋番号」は、実施形態にかかるドアホン装置が設置される部屋（図１に示す住宅２）の部屋番号を示す。
【００９４】
「マンションＩＤ」、「マンション名」、「棟情報」、「部屋番号」を含む登録情報は、例えば、消費電力に関するデータを表示部１２に表示させようとするユーザの操作に応じて、ドアホン親機１０から送信される。ドアホンサーバ１００の依頼部１３１は、この登録情報をドアホン親機１０から初めて受信した場合に、認証情報記憶部１２１に記憶する。依頼部１３１は、この登録情報を認証情報記憶部１２１に記憶した時点では、図６に示す「認証結果」以降の項目に対する入力情報が存在しないため、認証部２３３により認証処理が行われていないと判断して、認証処理を行うよう依頼する。
【００９５】
「認証結果」は、管理サーバ２００の認証部２３３による認証処理結果を示す。例えば、会員登録が未登録または連携が未認証認証の場合には、認証結果として「ＮＧ」が入力される。「認証詳細」は、「認証結果」の詳細を示す。例えば、会員登録されているものの、連携の認証が得られていない場合には、「認証結果」として「ＮＧ」が入力されるとともに、「認証詳細」として「連携未認証」が入力される。
【００９６】
「会員番号」は、ユーザが会員登録した際に、管理サーバ２００の登録情報受付部２３２により発行された会員番号を示す。そして、認証部２３３により、確かに会員登録されたことが認証された場合に、対応する「会員番号」が入力される。
【００９７】
「認証コード」は、認証部２３３により連携の認証が得られていない場合において、認証コード生成部２３４により生成された認証コードを示す。「計測機器ＩＤ」は、認証部２３３により連携の認証が得られた後に、電力情報送信部２３６により消費電力に関するデータが取得された取得先のスマートメータＭＴを識別する識別情報を示す。
【００９８】
ここで、図６を用いて、認証情報記憶部１２１における上記各項目について、より具体的に説明する。図６の例では、ドアホン親機１０の１つであるドアホン親機ＭＨ１には、認証結果「ＮＧ」、認証詳細「連携未認証」、会員番号「Ｕ００１」、認証コード「００１１−０００２−０００３−０００４」、計測機器ＩＤ「ｎｕｌｌ」が対応付けられている。かかるドアホン親機ＭＨ１では、認証詳細「連携未認証」に示す通り、連携の認証が得られていないことにより、認証結果として「ＮＧ」が入力されている。一方で、会員登録されていることから、そのことを示す会員番号「Ｕ００１」が入力されている。また、連携の認証が得られていない場合には、連携の手続きを行うようユーザに提示するための認証コードが生成されるため、生成された認証コード「００１１−０００２−０００３−０００４」が入力されている。また、連携の認証が得られていないうちは、電力情報送信部２３６が消費電力に関するデータを取得して送信することはないため、、計測機器ＩＤには「ｎｕｌｌ」が入力される。
【００９９】
次に図６の例では、ドアホン親機１０の１つであるドアホン親機ＭＨ２には、認証結果「ＮＧ」、認証詳細「会員未登録、連携未認証」、会員番号「ｎｕｌｌ」、認証コード「００１２−０００２−０００３−０００４」、計測機器ＩＤ「ｎｕｌｌ」が対応付けられている。かかるドアホン親機ＭＨ２では、認証詳細「会員未登録、連携未認証」に示す通り、会員登録されておらず、また、連携の認証が得られていないことにより、認証結果として「ＮＧ」が入力されている。また、会員登録されていないため、会員番号は「ｎｕｌｌ」である。また、連携の認証が得られていない場合には、連携の手続きを行うようユーザに提示するための認証コードが生成されるため、生成された認証コード「００１２−０００２−０００３−０００４」が入力されている。また、連携の認証が得られていないうちは、電力情報送信部２３６が消費電力に関するデータを取得して送信することはないため、計測機器ＩＤには「ｎｕｌｌ」が入力される。
【０１００】
また、図６の例では、ドアホン親機１０の１つであるドアホン親機ＭＨ３には、認証結果「ＯＫ」、認証詳細「ＯＫ」、会員番号「Ｕ００３」、認証コード「ｎｕｌｌ」、計測機器ＩＤ「ＭＴ３」が対応付けられている。かかるドアホン親機ＭＨ３では、会員登録され、また、連携ともに認証が得られていることにより、認証結果として「ＯＫ」が入力されている。会員登録されていることから、そのことを示す会員番号「Ｕ００３」が入力されている。連携の認証が得られたことにより、これまで入力されていた認証コードが「ｎｕｌｌ」へと更新されている。また、連携の認証が得られたことにより、電力情報送信部２３６が消費電力に関するデータを取得して送信するため、計測機器ＩＤには、消費電力に関するデータの取得先であるスマートメータの識別情報「ＭＴ３」が入力される。
【０１０１】
（電力情報記憶部１２２について）
電力情報記憶部１２２は、管理サーバ２００の電力情報送信部２３６により送信された消費電力に関するデータを記憶する記憶部である。ここで、図７に実施形態にかかる電力情報記憶部１２２の一例を示す。図７の例では、電力情報記憶部１２２は、「計測機器ＩＤ」、「電力履歴」、「グラフ種別」、「生成日時」といった項目を有する。
【０１０２】
「計測機器ＩＤ」は、認証部２３３により連携の認証が得られた後に、電力情報送信部２３３により消費電力に関するデータが取得された取得先のスマートメータＭＴを識別する識別情報を示す。かかる「計測機器ＩＤ」は、図６に示す「計測機器ＩＤ」に対応する。例えば、計測機器ＩＤ「ＭＴ」によって識別されるスマートメータＭＴは、ドアホン親機１０の１つであるドアホン親機ＭＨ１を有する住宅２に設置されるスマートメータＭＴである。
【０１０３】
「電力履歴」は、対応する「計測機器ＩＤ」によって識別されるスマートメータＭＴからこれまでに取得された消費電力に関するデータの履歴情報であって、電力情報送信部２３６から送信された消費電力に関するデータの履歴情報を示す。図７の例では、「電力履歴」として、概念的な記号を用いているが、実際には、消費電力を示す数値が、例えば、消費電力が計測された計測日時に対応付けて記憶される。
【０１０４】
図７では、ドアホン親機１０の１つであるドアホン親機ＭＨ１と、管理サーバ２００との連携が認証されたことにより、ドアホン親機ＭＨ１を有する住宅２に設置されるスマートメータ「ＭＴ１」から、これまでに取得された消費電力に関するデータの履歴情報が「ＤＡ１」である例を示す。
【０１０５】
「グラフ種別」は、後述するグラフ生成部１３４により生成されたグラフであって、消費電力の移り変わりを示す電力グラフの種別を示す。グラフ種別「日」に分類されるグラフは、ユーザによって電力グラフを表示するよう選択操作された日の０時から、選択操作された時刻までの時間帯別の消費電力の移り変わりを示す電力グラフである。このようなグラフを以下では「時間帯別電力グラフ」と表記する場合がある。
【０１０６】
また、グラフ種別「月」に分類されるグラフは、ユーザによって電力グラフを表示するよう選択操作された月の１日から、選択操作された日までの日付別の消費電力の移り変わりを示す電力グラフである。このようなグラフを以下では「日別電力グラフ」と表記する場合がある。
【０１０７】
また、グラフ種別「年」に分類されるグラフは、ユーザによって電力グラフを表示するよう選択操作された年の１月から、選択操作された月までの月別の消費電力の移り変わりを示す電力グラフである。このようなグラフを以下では「月別電力グラフ」と表記する場合がある。
【０１０８】
「生成日時」は、対応する種別の電力グラフが生成された日時を示す。
【０１０９】
（制御部１３０について）
図５に戻り、制御部１３０は、ＣＰＵやＭＰＵ等によって、ドアホンサーバ１００内部の記憶装置に記憶されている各種プログラムがＲＡＭを作業領域として実行されることにより実現される。また、制御部１３０は、例えば、ＡＳＩＣやＦＰＧＡ等の集積回路により実現される。
【０１１０】
図５に示すように、制御部１３０は、依頼部１３１と、第１受付部１３２と、第２受付部１３３と、グラフ生成部１３４と、送信部１３５とを有し、以下に説明する情報処理の機能や作用を実現または実行する。なお、制御部１３０の内部構成は、図５に示した構成に限られず、後述する情報処理を行う構成であれば他の構成であってもよい。また、制御部１３０が有する各処理部の接続関係は、図５に示した接続関係に限られず、他の接続関係であってもよい。
【０１１１】
（依頼部１３１について）
依頼部１３１は、管理サーバ２００に対して認証処理を行うよう依頼する。例えば、依頼部１３１は、連携が認証されていないと判定した場合、管理サーバ２００に対して認証処理を行うよう依頼する。この点について、一例を用いて説明する。
【０１１２】
例えば、ドアホン親機１０は、表示部１２に消費電力に関するデータを表示させようとするユーザの選択操作に応じて、登録情報（マンションＩＤと、マンション名、棟情報と、部屋番号）をホームゲートウェイＧＷ経由で、ドアホンサーバ１００に送信する。ここで、依頼部１３１は、ドアホン親機１０から受け付けた登録情報が認証情報記憶部１２１に記憶されていない場合には記憶する。
【０１１３】
そして、依頼部１３１は、認証情報記憶部１２１に記憶される情報に基づいて、登録情報送信元のドアホン親機１０に対する会員登録が行われているか否かを判定する。また、依頼部１３１は、認証情報記憶部１２１に記憶される情報に基づいて、登録情報送信元のドアホン親機１０と管理サーバ２００との連携が認証されているか否かを判定する。
【０１１４】
例えば、依頼部１３１は、認証情報記憶部１２１において、ドアホン親機１０から受け付けた登録情報に対して、「認証結果」、「認証詳細」、「会員番号」等の入力が存在しない場合には、かかるドアホン親機１０について、連携が認証されていないと判定する。
【０１１５】
また、例えば、依頼部１３１は、「認証結果」、「認証詳細」、「会員番号」等の入力が存在する場合であっても、「認証結果」、「認証詳細」に対する入力情報から、会員登録が行われているか否か、連携が認証されているか否かを判定する。例えば、図６に示す「認証結果」、「認証詳細」に対する入力情報から、依頼部１３１は、現時点での会員登録の状況、および、認証の状況を判定する。
【０１１６】
このようにして、依頼部１３１は、連携が認証されていないと判定した場合に、管理サーバ２００に対して認証処理を行うよう依頼する。例えば、依頼部１３１は、ドアホン親機１０から受け付けた登録情報を含む依頼を管理サーバ２００に送信する。
【０１１７】
なお、依頼部１３１は、会員登録が行われていない場合、すなわち図６の例では、認証詳細「会員未登録」が入力されている場合には、認証処理を行うよう依頼する前に会員登録を行うようユーザに指示する旨の情報をドアホン親機１０の表示部１２に表示させてもよい。これは、本実施形態では、連携の認証処理が行われる前に、会員登録が行われていることを前提としているためである。
【０１１８】
また、依頼部１３１は、会員登録が行われており、かつ、連携が認証されていると判定した場合には、グラフ生成部１３４に対して、登録情報送信元のドアホン親機１０のユーザの指示に応じた種別のグラフを生成するよう指示する。
【０１１９】
（第１受付部１３２について）
第１受付部１３２は、管理サーバ２００から認証に関する各種情報を受け付ける。例えば、第１受付部１３２は、管理サーバ２００の会員情報受付部２３１から、ドアホン親機１０により送信された登録情報とともに、かかるドアホン親機１０に対する会員登録を完了したことを示す情報を受け付ける。例えば、第１受付部１３２は、会員登録を完了したことを示す情報として、登録情報と会員番号を受け付ける。そして、第１受付部１３２は、認証情報記憶部１２１において、受け付けた登録情報に対応付けて会員番号を入力する。また、第１受付部１３２は、会員登録が完了されたことにより、認証情報記憶部１２１の「認証詳細」に記入されている「会員未登録」を削除する。
【０１２０】
また、第１受付部１３２は、管理サーバ２００の認証コード送信部２３５から、ドアホン親機１０により送信された登録情報とともに、かかるドアホン親機１０に対する連携の認証が得られないことを示す情報を受け付ける。例えば、第１受付部１３２は、連携の認証が得られないことを示す情報として、認証コード生成部２３４により生成された認証コードおよびＱＲコードを受け付ける。そして、第１受付部１３２は、認証情報記憶部１２１において、受け付けた登録情報に対応付けて「連携未認証」を入力するとともに、認証コードを入力する。
【０１２１】
なお、第１受付部１３２は、受け付けた認証コードおよびＱＲコードをホームゲートウェイＧＷ経由で、登録情報送信元のドアホン親機１０に送信してもよい。具体的には、第１受付部１３２は、受け付けた認証コードおよびＱＲコードが、登録情報送信元のドアホン親機１０の表示部１２に表示されるよう、ホームゲートウェイＧＷ経由で、かかるドアホン親機１０に送信する。なお、認証コードおよびＱＲコードは、後述する送信部１３５によって、登録情報送信元のドアホン親機１０に送信されてもよい。
【０１２２】
（第２受付部１３３について）
第２受付部１３３は、管理サーバ２００から消費電力に関するデータを受け付ける。例えば、第２受付部１３３は、管理サーバ２００の電力情報送信部２３６から、ドアホン親機１０により送信された登録情報、および、計測機器ＩＤとともに、かかるドアホン親機１０に対する連携の認証が得られたを示す情報を受け付ける。例えば、第２受付部１３３は、連携の認証が得られたことを示す情報として、消費電力に関するデータを受け付ける。そして、第２受付部１３３は、認証情報記憶部１２１において、受け付けた登録情報に対応付けて「連携認証」を入力するとともに、計測機器ＩＤを入力する。また、第２受付部１３３は、電力情報記憶部１２２において、受け付けた登録情報に対応付けて、消費電力に関するデータを記憶する。
【０１２３】
また、第２受付部１３３は、連携の認証が得られたことにより、以降、電力情報送信部２３６から定期的に送信される消費電力に関するデータを、計測機器ＩＤに対応付けて随時、電力情報記憶部１２２に記憶する。
【０１２４】
（グラフ生成部１３４について）
グラフ生成部１３４は、消費電力に関するデータに基づいて、消費電力の移り変わりを示す電力グラフを生成する。例えば、グラフ生成部１３４は、ドアホン親機１０のユーザの指示に応じて、「時間帯別電力グラフ」、「日別電力グラフ」、または、「月別電力グラフ」を生成する。例えば、グラフ生成部１３４は、電力情報記憶部１２２を参照し、登録情報送信元のドアホン親機１０に対応する計測機器ＩＤ（スマートメータＭＴ）に対応付けられる消費電力に関するデータを取得する。そして、グラフ生成部１３４は、取得した消費電力に関するデータを用いて、「時間帯別電力グラフ」、「日別電力グラフ」、または、「月別電力グラフ」を生成する。また、グラフ生成部１３４は、電力情報記憶部１２２における計測機器ＩＤ、電力履歴、グラフ種別に対応付けて、電力グラフを生成した日時を記憶する。
【０１２５】
（送信部１３５について）
送信部１３５は、グラフ生成部１３４により生成された電力グラフを、登録情報送信元のドアホン親機１０に送信する。
【０１２６】
〔４．ドアホン装置の構成〕
次に、図８を用いて、実施形態にかかるドアホン親機１０について説明する。図８は、実施形態にかかるドアホン親機１０の構成例を示す図である。図８に示すように、ドアホン親機１０は、通信部１１と、表示部１２と、応答ボタン１３と、音声出力部１４と、制御部１５とを有する。また、制御部１５は、音声制御部１６と、登録情報送信部１７と、認証コード受付部１８と、表示制御部１９とを有する。
【０１２７】
（通信部１１について）
通信部１１は、例えば、ＮＩＣ等によって実現される。そして、通信部１１は、ネットワークと有線または無線で接続され、例えば、ホームゲートウェイＧＷ、ドアホンサーバ１００との間で情報の送受信を行う。
【０１２８】
（表示部１２について）
表示部１２は、タッチパネル機能付きの表示画面である。これ以外に、表示部１２は、表示画面と操作ボタンとを有するものでもよいし、ソフトウェアキーボード等の任意の文字列が入力可能な機能を有してもよい。
【０１２９】
（応答ボタン１３について）
応答ボタン１３は、押下された場合に、ドアホン子機３０のマイクおよびスピーカーをドアホン親機１０のマイクおよびスピーカーに接続し、ドアホン親機１０の操作者とドアホン子機３０の操作者とが通話できるようにする。
【０１３０】
（音声出力部１４について）
音声出力部１４は、例えば、スピーカーである。
【０１３１】
（音声制御部１６について）
音声制御部１６は、チャイム等の予め決められた音声を音声出力部１４に出力させる。例えば、音声制御部１６は、ドアホン子機３０が操作された場合に、ドアホン子機３０から音声通知の指示を受ける。そして、音声制御部１６は、チャイム等の予め決められた来客通知用の音声を音声出力部１４に出力させる。
【０１３２】
（登録情報送信部１７について）
登録情報送信部１７は、ユーザ操作に応じて、登録情報をホームゲートウェイＧＷ経由で、ドアホンサーバ１００に送信する。これまで説明してきたように、登録情報は、例えば、マンションＩＤ、マンション名、棟情報、部屋番号を含む。
【０１３３】
（認証コード受付部１８について）
認証コード受付部１８は、ユーザ操作に応じて送信された登録情報に基づき連携が認証されなかった場合に、管理サーバ２００の認証コード送信部２３５により送信された認証コードおよびＱＲコードを受け付ける。
【０１３４】
（表示制御部１９について）
表示制御部１９は、表示部１２に情報を表示させるための表示制御を行う。例えば、表示制御部１９は、認証コード受付部１８により受け付けられた認証コードおよびＱＲコードが表示部１２に表示されるよう制御する。
【０１３５】
ここで、図９に、表示制御部１９により表示制御された表示部１２の一例を示す。図９では、連携の認証が得られなかったことにより認証コード送信部２３５により送信された認証コードおよびＱＲコードを表示するよう制御された表示部１２の一例を示す。
【０１３６】
操作ボタンＢＴ１は、「時間帯別電力グラフ」を表示させるための操作ボタンを示す。操作ボタンＢＴ２は、「日別電力グラフ」を表示させるための操作ボタンを示す。操作ボタンＢＴ３は、「月別電力グラフ」を表示させるための操作ボタンを示す。例えば、ユーザは、「時間帯別別電力グラフ」を表示部１２に表示させたい場合には、操作ボタンＢＴ１を押下する。このように、ユーザにより操作ボタンＢＴ１〜ＢＴ３のいずれかが押下された場合に、登録情報をホームゲートウェイＧＷ経由で、ドアホンサーバ１００に送信する。
【０１３７】
表示情報ＩＦ１は、実施形態にかかるドアホン親機１０に関する情報を示す。図９では、ドアホン親機１０が、マンション「ＡＢＣ」の「Ａ棟」にある「１０１号室」に設置されていることを示す表示情報ＩＦが、表示部１２に表示されている例を示す。
【０１３８】
表示情報ＩＦ２は、ドアホンサーバ１００を介して、認証コード送信部２３５から送信されたＱＲコードを示す。表示情報ＩＦ３は、ドアホンサーバ１００を介して、認証コード送信部２３５から送信された認証コードを示す。例えば、ユーザは、かかるＱＲコードを自身の端末装置Ｔに読み込むといった手続きを行うことにより、管理サーバ２００に対して、ドアホン親機１０と管理サーバ２００との連携を認証させる。
【０１３９】
また、ユーザは、ＱＲコードの読み込み以外にも、認証コードを入力するためのウェブページへアクセスし、表示情報ＩＦ３のように直接表示された認証コード入力するといった手続きを行うことにより、管理サーバ２００に対して、ドアホン親機１０と管理サーバ２００との連携を認証させてもよい。なお、入力するためのウェブページのＵＲＬは、認証コードとともに表示部１２に表示されてよい。
【０１４０】
〔５．処理手順〕
次に、図１０〜図１２を用いて、実施形態にかかる認証処理システム１が実行する認証処理の手順について説明する。まず、ユーザが会員登録を行っていない場合（「パターンＡ」とする）における、認証処理の手順について説明する。図１０は、実施形態にかかる認証処理システム１による認証処理手順を示すシーケンス図（パターンＡ）である。
【０１４１】
まず、ドアホン親機１０は、消費電力に関するデータを表示させるためのユーザ操作を受け付けたか否かを判定する（ステップＳ１０１）。なお、消費電力に関するデータを表示させるためのユーザ操作とは、例えば、図９において操作ボタンＢＴ１〜ＢＴ３のいずれかを押下する操作である。ドアホン親機１０は、ユーザ操作を受け付けていない場合には（ステップＳ１０１；Ｎｏ）、ユーザ操作を受け付けるまで待機する。
【０１４２】
一方、ドアホン親機１０は、ユーザ操作を受け付けた場合には（ステップＳ１０１；Ｙｅｓ）、登録情報をドアホンサーバ１００に送信する（ステップＳ１０２）。ドアホンサーバ１００は、登録情報を受け付けると（ステップＳ１０３）、ドアホン親機１０のユーザが会員登録を行っているか否かを判定する（ステップＳ１０４）。
【０１４３】
ドアホンサーバ１００は、ユーザが会員登録を行っていないと判定した場合には（ステップＳ１０４；Ｎｏ）、会員登録を行うよう誘導する情報を、例えば、表示部１２に表示するよう指示する旨の情報をドアホン親機１０に送信する（ステップＳ１０５）。
【０１４４】
ドアホン親機１０は、指示を受け付けると（ステップＳ１０６）、会員登録を行うよう誘導する情報を表示部１２に表示する（ステップＳ１０７）。
【０１４５】
以上のように、図１０では、パターンＡにおける認証処理の手順について説明した。次に、ユーザが会員登録を行った場合（「パターンＢ」とする）における、認証処理の手順について説明する。かかる処理は、図１０において、ドアホンサーバ１００が、ユーザが会員登録を行っていると判定した場合に（ステップＳ１０４；Ｙｅｓ）に続く処理（図１１、ステップＳ２０１以降）に相当する。パターンＢの処理について、図１１を用いて説明する。図１０は、実施形態にかかる認証処理システム１による認証処理手順を示すシーケンス図（パターンＢ）である。なお、図１１と重複する処理（同一符号の処理）については、説明を省略する。
【０１４６】
図１１に示すように、ドアホンサーバ１００は、ユーザが会員登録を行っていると判定した場合に（ステップＳ１０４；Ｙｅｓ）、ドアホン親機１０と、管理サーバ２００との連携が認証されているか否かを判定する（ステップＳ２０１）。ドアホンサーバ１００は、連携が認証されていないと判定した場合には（ステップＳ２０１；Ｎｏ）、認証処理を行うよう管理サーバ１００に依頼する（ステップＳ２０２）。例えば、ドアホンサーバ１００は、ドアホン親機１０から受け付けた登録情報を含む依頼を管理サーバ１０に送信する。
【０１４７】
管理サーバ２００は、依頼を受け付けると（ステップＳ２０３）、認証コードおよびＱＲコードを生成する（ステップＳ２０４）。そして、管理サーバ２００は、ドアホン親機１０から送信された登録情報とともに、認証コードおよびＱＲコードをドアホンサーバ１００に送信する（ステップＳ２０５）。
【０１４８】
ドアホンサーバ１００は、登録情報、認証コードおよびＱＲコードを受け付けると（ステップＳ２０６）、認証コードおよびＱＲコードを表示部１２に表示するようドアホン親機１０に送信する（ステップＳ２０７）。ドアホン親機１０は、認証コードおよびＱＲコードを受け付けると（ステップＳ２０８）、受け付けた認証コードおよびＱＲコードを表示部１２に表示する（ステップＳ２０９）。
【０１４９】
ここで、ドアホン親機１０のユーザが、表示部１２に表示されたＱＲコードを自身の端末装置Ｔに読み込ませることにより、ＱＲコードに含まれる認証コードを管理サーバ２００に送信させたとする（ステップＳ２１０）。
【０１５０】
管理サーバ２００は、認証コードを受け付けると（ステップＳ２１１）、受け付けた認証コードを用いて、連携を認証する認証処理を行う（ステップＳ２１２）。例えば、管理サーバ２００は、受け付けた認証コードと、ステップＳ２０４で生成した認証コードが一致する場合には、連携を認証する。なお、図指しないが、管理サーバ２００は、一致が得られず認証を却下した場合には、登録情報とともに「連携未認証」を示す情報（例えば、エラーコード）をドアホンサーバ１００に送信する。
【０１５１】
そして、管理サーバ２００は、連携を認証した場合には、これまでに蓄積している消費電力に関するデータを、計測機器ＩＤおよび登録情報とともにドアホンサーバ１００に送信する（ステップＳ２１３）。
【０１５２】
ドアホンサーバ１００は、計測機器ＩＤ、登録情報および消費電力に関するデータを受け付けると（ステップＳ２１４）、消費電力に関するデータに基づいて、電力グラフを生成する（ステップＳ２１５）。例えば、ステップＳ１０１において、ユーザが操作ボタンＢＴ１を押下するといったユーザ操作を行ってたとすると、ドアホンサーバ１００は、「時間帯別電力グラフ」を生成する。そして、ドアホンサーバ１００は、生成した電力グラフをドアホン親機１０に送信する（ステップＳ２１６）。
【０１５３】
ドアホン親機１０は、電力グラフを受け付けると（ステップＳ２１７）、受け付けた電力グラフを表示部１２に表示する（ステップＳ２１８）。
【０１５４】
次に、会員登録を完了し、正常に連携手続を行ったユーザが、消費電力に関するデータを表示させようとする場合（「パターンＣ」とする）における、認証処理の手順について説明する。かかる処理は、図１１において、ドアホンサーバ１００が、ユーザが会員登録を行っていると判定し（ステップＳ１０４；Ｙｅｓ）、さらに、連携が認証されていると判定した場合（ステップＳ２０１；Ｙｅｓ）に続く処理に相当する。パターンＣの処理について、図１２を用いて説明する。図１２は、実施形態にかかる認証処理システム１による認証処理手順を示すシーケンス（パターンＣ）である。なお、図１０および図１１と重複する処理（同一符号の処理）については、説明を省略する。
【０１５５】
図１２に示すように、ドアホンサーバ１００は、ユーザが会員登録を行っていると判定し（ステップＳ１０４；Ｙｅｓ）、さらに、連携が認証されていると判定した場合（ステップＳ２０１；Ｙｅｓ）には、既に管理サーバ２００から消費電力に関するデータを定期的に受け付けている状態である。したがって、かかる場合、ドアホンサーバ１００は、管理サーバ２００から受け付けている消費電力に関するデータを用いて、電力グラフを生成する（ステップＳ３０１）。そして、ドアホンサーバ１００は、生成した電力グラフをドアホン親機１０に送信する（ステップＳ３０２）。
【０１５６】
ドアホン親機１０は、電力グラフを受け付けると（ステップＳ３０３）、受け付けた電力グラフを表示部１２に表示する（ステップＳ３０４）。
【０１５７】
〔６．その他〕
上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。
【０１５８】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１５９】
また、上述してきた各実施形態は、処理内容を矛盾させない範囲で適宜組み合わせることが可能である。
【０１６０】
以上、本願の実施形態を図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【０１６１】
１  認証システム
２  住宅
１０  ドアホン親機
１２  表示部
１７  登録情報送信部
１８  認証コード受付部
１００  ドアホンサーバ
２００  管理サーバ
２３２  登録情報受付部
２３３  認証部
２３４  認証コード生成部
２３５  認証コード送信部
２３６  電力情報送信部
【図１】
2018018170.tif 000003
【図２】
2018018170.tif 000004
【図３】
2018018170.tif 000005
【図４】
2018018170.tif 000006
【図５】
2018018170.tif 000007
【図６】
2018018170.tif 000008
【図７】
2018018170.tif 000009
【図８】
2018018170.tif 000010
【図９】
2018018170.tif 000011
【図１０】
2018018170.tif 000012
【図１１】
2018018170.tif 000013
【図１２】
2018018170.tif 000014